(57)【要約】【課題】ＡＲ−ＳＮＳサービスを提供する情報表示システムにおいて、情報の公開に制限を設ける。【解決手段】情報表示システムにおいて、情報装置は、情報装置による公開の対象である対象情報を記憶する対象情報記憶部と、頭部装着型表示装置の使用者に関する情報である使用者情報に基づいて、対象情報記憶部から対象情報を抽出する抽出部とを備え、頭部装着型表示装置は、情報装置から取得された対象情報を用いて使用者へ拡張現実感を提供するための付加提示用の情報を生成する情報生成部と、生成された付加提示用の情報を虚像として使用者に視認させる画像表示部とを備える。【選択図】図７
2014186434.tif 000002
【特許請求の範囲】
【請求項１】
情報装置と、使用者に虚像を視認させる頭部装着型表示装置と、を備える情報表示システムであって、
前記情報装置は、
前記情報装置による公開の対象である対象情報を記憶する対象情報記憶部と、
前記頭部装着型表示装置の前記使用者に関する情報である使用者情報に基づいて、前記対象情報記憶部から前記対象情報を抽出する抽出部と、
抽出された前記対象情報を前記頭部装着型表示装置へ送信する送信部と、
を備え、
前記頭部装着型表示装置は、
前記情報装置に対して前記使用者情報を送信すると共に、前記情報装置から前記対象情報を取得する情報取得部と、
取得された前記対象情報を用いて前記使用者へ拡張現実感を提供するための付加提示用の情報を生成する情報生成部と、
生成された前記付加提示用の情報を前記虚像として前記使用者に視認させる画像表示部と、
を備える、情報表示システム。
【請求項２】
請求項１に記載の情報表示システムであって、
前記対象情報記憶部には、前記対象情報に対応付けられて、当該対象情報を抽出する際の条件である抽出許可条件が記憶され、
前記抽出部は、前記頭部装着型表示装置から受信した前記使用者情報が、前記抽出許可条件を満たす場合に、当該対象情報を抽出する、情報表示システム。
【請求項３】
請求項１または請求項２に記載の情報表示システムであって、
前記使用者情報には、前記使用者によって設定されたアカウント名と、前記使用者によって設定された認証情報と、前記使用者のメールアドレスと、前記頭部装着型表示装置のネットワークアドレスと、前記頭部装着型表示装置のＭＡＣアドレスと、前記使用者が利用するサービスの提供元から提供されたアカウント名と、前記使用者が利用するサービスの提供元から提供された認証情報と、のうちの少なくとも１つが含まれる、情報表示システム。
【請求項４】
請求項２または請求項３に記載の情報表示システムであって、
前記情報装置において、
前記対象情報記憶部には、さらに、前記対象情報に対応付けられて、前記対象情報の表示順を決定するための順序情報が記憶され、
前記抽出部は、前記対象情報記憶部から前記対象情報と共に前記順序情報を抽出し、
前記送信部は、抽出された前記対象情報と前記順序情報とを前記頭部装着型表示装置へ送信し、
前記頭部装着型表示装置において、
前記情報生成部は、複数の前記対象情報を受信した場合に、前記順序情報に従った順序で前記対象情報を重畳させて前記付加提示用の情報を生成する、情報表示システム。
【請求項５】
請求項１から請求項４のいずれか一項に記載の情報表示システムであって、
前記情報装置は、さらに、
前記対象情報記憶部の更新を許可するための更新許可条件を記憶する更新許可条件記憶部と、
前記頭部装着型表示装置から受信した受信情報が前記更新許可条件を満たす場合に、前記受信情報を用いて前記対象情報記憶部を更新する更新部と、
を備え、
前記頭部装着型表示装置は、さらに、
前記情報装置に対して、前記対象情報記憶部を更新するための情報を送信する更新要求部を備える、情報表示システム。
【請求項６】
請求項５に記載の情報表示システムであって、
前記情報装置において、
前記更新許可条件記憶部には、前記更新許可条件に対応付けられて、前記対象情報記憶部の更新を制限する制限領域を特定する制限領域情報が記憶され、
前記更新部は、
前記受信情報に含まれる前記頭部装着型表示装置の現在位置情報に対応する前記制限領域情報を求め、
前記受信情報が、求めた前記制限領域情報に対応付けられている前記更新許可条件を満たす場合に、前記受信情報を用いて前記対象情報記憶部を更新し、
前記頭部装着型表示装置において、
前記更新要求部は、前記対象情報記憶部を更新するための情報と共に、前記頭部装着型表示装置の現在位置を表す前記現在位置情報を送信する、情報表示システム。
【請求項７】
請求項５または請求項６に記載の情報表示システムであって、
前記更新許可条件には、前記対象情報記憶部の更新を許可する前記使用者を指定する条件と、前記対象情報記憶部の更新日時を指定する条件と、前記対象情報記憶部の更新を許可しない旨の条件と、のうちの少なくとも１つが含まれる、情報表示システム。
【請求項８】
情報装置と、使用者に虚像を視認させる頭部装着型表示装置と、を用いた情報表示方法であって、
（ａ）前記頭部装着型表示装置が、前記情報装置に対して前記頭部装着型表示装置の前記使用者に関する情報である使用者情報を送信する工程と、
（ｂ）前記情報装置が、受信した前記使用者情報に基づいて、前記情報装置による公開の対象である対象情報を抽出する工程と、
（ｃ）前記情報装置が、抽出された前記対象情報を前記頭部装着型表示装置へ送信する工程と、
（ｄ）前記頭部装着型表示装置が、前記情報装置から前記対象情報を取得する工程と、
（ｅ）取得された前記対象情報を用いて前記使用者へ拡張現実感を提供するための付加提示用の情報を生成する工程と、
（ｆ）生成された前記付加提示用の情報を前記虚像として前記使用者に視認させる工程と、
を備える、情報表示方法。
【請求項９】
使用者に虚像を視認させる頭部装着型表示装置であって、
前記頭部装着型表示装置の前記使用者に関する情報である使用者情報に基づいて抽出された情報である対象情報を取得する情報取得部と、
取得された前記対象情報を用いて前記使用者へ拡張現実感を提供するための付加提示用の情報を生成する情報生成部と、
生成された前記付加提示用の情報を前記虚像として前記使用者に視認させる画像表示部と、
を備える、頭部装着型表示装置。
【請求項１０】
使用者に虚像を視認させる頭部装着型表示装置であって、
前記頭部装着型表示装置による公開の対象である対象情報を記憶する対象情報記憶部と、
前記使用者に関する情報である使用者情報に基づいて、前記対象情報記憶部から前記対象情報を抽出する抽出部と、
抽出された前記対象情報を用いて前記使用者へ拡張現実感を提供するための付加提示用の情報を生成する情報生成部と、
生成された前記付加提示用の情報を前記虚像として前記使用者に視認させる画像表示部と、
を備える、頭部装着型表示装置。
【発明の詳細な説明】
【技術分野】
【０００１】
本発明は、頭部装着型表示装置を利用した情報表示システムに関する。
【背景技術】
【０００２】
観察者の頭部に装着されて用いられることによって、観察者の視野領域に虚像を形成する頭部装着型表示装置が知られている（例えば、特許文献１および特許文献２参照）。この頭部装着型表示装置は、ヘッドマウントディスプレイ（ＨＭＤ：Head Mounted Display）とも呼ばれ、頭部装着型表示装置を装着した状態において使用者の視界が遮断される非透過型の頭部装着型表示装置と、頭部装着型表示装置を装着した状態で使用者の視界が遮断されない透過型の頭部装着型表示装置とがある。
【０００３】
一方、現実環境にコンピューターを用いて情報を付加提示する拡張現実感（ＡＲ、Augmented Reality）と呼ばれる技術が知られている。拡張現実感を実現する方法として、画像認識による方法と、パススルー方式に基づく方法と、が知られている。画像認識による方法の場合、例えばＷＥＢカメラ等で撮像された外景の画像を画像認識することで付加提示用の情報が生成される。パススルー方式に基づく方法の場合、例えばＧＰＳ等で取得された現在位置情報と、例えば電子コンパス等で取得された方位情報とを用いて付加提示用の情報が生成される。非透過型の頭部装着型表示装置では、外景の画像と、上記のようにして生成された付加提示用の情報とを重畳させた画像が、液晶ディスプレイに表示される。これにより、使用者は拡張現実感を体感することができる。透過型の頭部装着型表示装置では、上記のようにして生成された付加提示用の情報のみが液晶ディスプレイに表示される。使用者は、液晶ディスプレイを介して虚像として表示された付加提示用の情報と、目前のレンズを透過して見える実際の外景との両方を視認することで、拡張現実感を体感することができる。
【０００４】
そして、近年では、このような拡張現実感を利用したソーシャルネットワーキングサービス（ＳＮＳ、Social Networking Service）が知られている。以降、拡張現実感を利用したソーシャルネットワーキングサービスを「ＡＲ−ＳＮＳサービス」とも呼ぶ。ＡＲ−ＳＮＳサービスを提供するサーバーは、様々なクライアント装置から送信されるタグ（公開の対象となるテキストや画像等）を記憶する記憶部を持つ。ＡＲ−ＳＮＳサービスのクライアント装置は、サーバーに対して、使用者の現在位置と使用者の向きとを特定できる情報（具体的には、外景の画像、または、現在位置情報と方位情報）を送信する。サーバーは、クライアント装置から受信した情報に基づいて、記憶部から当該現在位置に対応するタグを抽出し、クライアント装置へ送信する。クライアント装置は、サーバーから受信したタグを用いて付加提示用の情報を生成し、表示する。
【先行技術文献】
【特許文献】
【０００５】
【特許文献１】特開平１０−３０７６９８号公報
【特許文献２】特開２０１１−１３４０５４号公報
【発明の概要】
【発明が解決しようとする課題】
【０００６】
上記のようなＡＲ−ＳＮＳサービスを提供する情報表示システムにおいて、特定の使用者に限ってタグを公開するために、情報の公開に制限を設けたいという要望があった。また、上記のようなＡＲ−ＳＮＳサービスを提供する情報表示システムにおいて、様々な使用者から送信されてサーバーに蓄積されるタグの内容は玉石混淆であり、中には誹謗中傷のような情報も含まれるのが実情である。誹謗中傷の類のタグは、意図せず目にした他の使用者に不快感を与えたり、特定の人物や店舗等に損害を与えたりするという問題があった。このため、情報表示システムにおける情報の蓄積に制限を設けたいという要望があった。
【課題を解決するための手段】
【０００７】
本発明は、上述の課題の少なくとも一部を解決するためになされたものであり、以下の形態として実現することが可能である。
【０００８】
（１）本発明の一形態によれば、情報装置と、使用者に虚像を視認させる頭部装着型表示装置と、を備える情報表示システムが提供される。この情報表示システムは；前記情報装置は；前記情報装置による公開の対象である対象情報を記憶する対象情報記憶部と；前記頭部装着型表示装置の前記使用者に関する情報である使用者情報に基づいて、前記対象情報記憶部から前記対象情報を抽出する抽出部と；抽出された前記対象情報を前記頭部装着型表示装置へ送信する送信部と、を備え；前記頭部装着型表示装置は；前記情報装置に対して前記使用者情報を送信すると共に、前記情報装置から前記対象情報を取得する情報取得部と；取得された前記対象情報を用いて前記使用者へ拡張現実感を提供するための付加提示用の情報を生成する情報生成部と；生成された前記付加提示用の情報を前記虚像として前記使用者に視認させる画像表示部と、を備える。この形態の情報表示システムによれば、情報装置は、頭部装着型表示装置の使用者に関する情報である使用者情報に基づいて、対象情報記憶部から対象情報を抽出し、頭部装着型表示装置へ送信する。そして、頭部装着型表示装置は、取得された対象情報を用いて付加提示用の情報を生成し、生成した付加提示用の情報を虚像として使用者に視認させる。このように、使用者情報を用いることで、ＡＲ−ＳＮＳサービスを提供する情報表示システムにおいて、情報の公開に制限を設けることができる。
【０００９】
（２）上記形態の情報表示システムにおいて；前記対象情報記憶部には、前記対象情報に対応付けられて、当該対象情報を抽出する際の条件である抽出許可条件が記憶され；前記抽出部は、前記頭部装着型表示装置から受信した前記使用者情報が、前記抽出許可条件を満たす場合に、当該対象情報を抽出してもよい。この形態の情報表示システムによれば、情報装置の抽出部は、抽出許可条件を満たす使用者情報を送信した頭部装着型表示装置の使用者に限って、対象情報を公開することができる。また、情報装置の対象情報記憶部において、抽出許可条件が対象情報に対して対応付けられて記憶されているため、対象情報ごとに、きめ細やかに公開の制限を設けることができる。
【００１０】
（３）上記形態の情報表示システムにおいて；前記使用者情報には、前記使用者によって設定されたアカウント名と、前記使用者によって設定された認証情報と、前記使用者のメールアドレスと、前記頭部装着型表示装置のネットワークアドレスと、前記頭部装着型表示装置のＭＡＣアドレスと、前記使用者が利用するサービスの提供元から提供されたアカウント名と、前記使用者が利用するサービスの提供元から提供された認証情報と、のうちの少なくとも１つが含まれていてもよい。この形態の情報表示システムによれば、情報装置の抽出部は、様々な使用者情報に基づいて、対象情報記憶部から対象情報を抽出することができる。
【００１１】
（４）上記形態の情報表示システムにおいて；前記情報装置において；前記対象情報記憶部には、さらに、前記対象情報に対応付けられて、前記対象情報の表示順を決定するための順序情報が記憶され；前記抽出部は、前記対象情報記憶部から前記対象情報と共に前記順序情報を抽出し；前記送信部は、抽出された前記対象情報と前記順序情報とを前記頭部装着型表示装置へ送信し；前記頭部装着型表示装置において；前記情報生成部は、複数の前記対象情報を受信した場合に、前記順序情報に従った順序で前記対象情報を重畳させて前記付加提示用の情報を生成してもよい。この形態の情報表示システムによれば、情報装置は、対象情報と共に対象情報の表示順を決定するための順序情報を頭部装着型表示装置へ送信する。頭部装着型表示装置は、複数の対象情報を受信した場合に、順序情報に従った順序で対象情報を重畳させて付加提示用の情報を生成する。このように、情報装置は、頭部装着型表示装置へ複数の対象情報を送信する場合に、どの対象情報を付加提示用の情報において上のレイヤーに表示させるか、すなわち、どの対象情報を使用者に対して視認させやすくするかを、順序情報を用いて指定することができる。
【００１２】
（５）上記形態の情報表示システムにおいて；前記情報装置は、さらに；前記対象情報記憶部の更新を許可するための更新許可条件を記憶する更新許可条件記憶部と；前記頭部装着型表示装置から受信した受信情報が前記更新許可条件を満たす場合に、前記受信情報を用いて前記対象情報記憶部を更新する更新部と、を備え；前記頭部装着型表示装置は、さらに；前記情報装置に対して、前記対象情報記憶部を更新するための情報を送信する更新要求部を備えていてもよい。この形態の情報表示システムによれば、情報装置の更新部は、頭部装着型表示装置から受信した受信情報が更新許可条件を満たす場合に、受信情報を用いて対象情報記憶部を更新する。このため、対象情報記憶部に蓄積される情報を、更新許可条件を満たす情報に限定することができる。この結果、ＡＲ−ＳＮＳサービスを提供する情報表示システムにおいて、情報の蓄積に制限を設けることができる。
【００１３】
（６）上記形態の情報表示システムにおいて；前記情報装置において；前記更新許可条件記憶部には、前記更新許可条件に対応付けられて、前記対象情報記憶部の更新を制限する制限領域を特定する制限領域情報が記憶され；前記更新部は；前記受信情報に含まれる前記頭部装着型表示装置の現在位置情報に対応する前記制限領域情報を求め；前記受信情報が、求めた前記制限領域情報に対応付けられている前記更新許可条件を満たす場合に、前記受信情報を用いて前記対象情報記憶部を更新し；前記頭部装着型表示装置において；前記更新要求部は、前記対象情報記憶部を更新するための情報と共に、前記頭部装着型表示装置の現在位置を表す前記現在位置情報を送信してもよい。この形態の情報表示システムによれば、情報装置の更新許可条件記憶部において、更新許可条件に対応付けられて、対象情報記憶部の更新を制限する制限領域を特定するための制限領域情報が記憶されている。このため、情報装置の更新部は、更新許可条件を、制限領域ごとに適用することができる。この結果、ＡＲ−ＳＮＳサービスを提供する情報表示システムにおいて、制限領域ごとに、きめ細やかに情報の蓄積に制限を設けることができる。
【００１４】
（７）上記形態の情報表示システムにおいて；前記更新許可条件には、前記対象情報記憶部の更新を許可する前記使用者を指定する条件と、前記対象情報記憶部の更新日時を指定する条件と、前記対象情報記憶部の更新を許可しない旨の条件と、のうちの少なくとも１つが含まれていてもよい。この形態の情報表示システムによれば、情報装置の更新部は、対象情報記憶部の更新を許可する使用者を指定する条件を用いて、対象情報記憶部に対する情報の蓄積を「使用者」単位で制限することができる。また、情報装置の更新部は、対象情報記憶部の更新日時を指定する条件を用いて、対象情報記憶部に対する情報の蓄積を「日時」単位で制限することができる。また、情報装置の更新部は、対象情報記憶部の更新を許可しない旨の条件を用いて、対象情報記憶部に対する情報の蓄積を全て制限することができる。
【００１５】
（８）本発明の一形態によれば、使用者に虚像を視認させる頭部装着型表示装置が提供される。この頭部装着型表示装置は；前記頭部装着型表示装置の前記使用者に関する情報である使用者情報に基づいて抽出された情報である対象情報を取得する情報取得部と；取得された前記対象情報を用いて前記使用者へ拡張現実感を提供するための付加提示用の情報を生成する情報生成部と；生成された前記付加提示用の情報を前記虚像として前記使用者に視認させる画像表示部と、を備える。この形態の頭部装着型表示装置によれば、頭部装着型表示装置の使用者に関する情報である使用者情報に基づいて抽出された情報である対象情報を取得し、取得された対象情報を用いて使用者へ拡張現実感を提供するための付加提示用の情報を生成し、虚像として使用者に視認させることができる。この結果、ＡＲ−ＳＮＳサービスのクライアント装置である頭部装着型表示装置において、情報の公開に制限を設けることができる。
【００１６】
（９）本発明の一形態によれば、使用者に虚像を視認させる頭部装着型表示装置が提供される。この頭部装着型表示装置は；前記頭部装着型表示装置による公開の対象である対象情報を記憶する対象情報記憶部と；前記使用者に関する情報である使用者情報に基づいて、前記対象情報記憶部から前記対象情報を抽出する抽出部と；抽出された前記対象情報を用いて前記使用者へ拡張現実感を提供するための付加提示用の情報を生成する情報生成部と；生成された前記付加提示用の情報を前記虚像として前記使用者に視認させる画像表示部と、を備える。この形態の頭部装着型表示装置によれば、情報の公開に制限を設けたＡＲ−ＳＮＳサービスを提供する頭部装着型表示装置を提供することができる。
【００１７】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００１８】
例えば、本発明の一形態は、対象情報記憶部と、抽出部と、送信部と、情報取得部と、情報生成部と、画像表示部と、の６つの要素のうちの一部または全部の要素を備えたシステムとして実現可能である。すなわち、このシステムは、対象情報記憶部を有していてもよく、有していなくてもよい。また、このシステムは、抽出部を有していてもよく、有していなくてもよい。また、このシステムは、送信部を有していてもよく、有していなくてもよい。また、このシステムは、情報取得部を有していてもよく、有していなくてもよい。また、このシステムは、情報生成部を有していてもよく、有していなくてもよい。また、このシステムは、画像表示部を有していてもよく、有していなくてもよい。こうしたシステムは、例えば情報装置と頭部装着型表示装置とを備える情報表示システムとして実現できるが、情報表示システム以外の他の形態（例えば、頭部装着型表示装置単体での形態や、情報装置単体としての形態）としても実現可能である。前述した技術的特徴の一部または全部は、いずれも各形態の装置に適用することが可能である。
【００１９】
なお、本発明は、種々の態様で実現することが可能であり、例えば、情報表示システムおよび情報表示方法、情報装置、頭部装着型表示装置、これらの装置、方法、またはシステムの機能を実現するためのコンピュータープログラム、そのコンピュータープログラムを記録した記録媒体等の形態で実現することができる。
【図面の簡単な説明】
【００２０】
【図１】本発明の一実施形態における情報表示システムの概略構成を示す説明図である。
【図２】タグテーブルの一例を示す説明図である。
【図３】更新条件テーブルの一例を示す説明図である。
【図４】本発明の一実施形態における頭部装着型表示装置の概略構成を示す説明図である。
【図５】ヘッドマウントディスプレイの構成を機能的に示すブロック図である。
【図６】使用者に視認される虚像の一例を示す説明図である。
【図７】制限公開処理の手順を表すフローチャートである。
【図８】制限公開処理のステップＳ１０４について説明するための説明図である。
【図９】制限公開処理のステップＳ１１２によって使用者に視認される虚像の一例を示す説明図である。
【図１０】タグテーブルの他の例を示す説明図である。
【図１１】制限更新処理の手順を表すフローチャートである。
【図１２】制限更新処理のステップＳ２０４について説明するための説明図である。
【図１３】第２実施形態におけるヘッドマウントディスプレイの構成を機能的に示すブロック図である。
【図１４】変形例におけるヘッドマウントディスプレイの外観の構成を示す説明図である。
【発明を実施するための形態】
【００２１】
Ａ．第１実施形態：
Ａ−１．情報表示システムの構成:
図１は、本発明の一実施形態における情報表示システムの概略構成を示す説明図である。情報表示システム１０００は、頭部装着型表示装置１００と、サーバー３００とを備えている。頭部装着型表示装置１００は、頭部に装着する表示装置であり、ヘッドマウントディスプレイ（Head Mounted Display、ＨＭＤ）とも呼ばれる。本実施形態のヘッドマウントディスプレイ１００は、使用者が、虚像を視認すると同時に外景も直接視認することができる光学透過型の頭部装着型表示装置である。サーバー３００は、ヘッドマウントディスプレイ１００に対して、拡張現実感（ＡＲ、Augmented Reality）を利用したソーシャルネットワーキングサービス（ＳＮＳ、Social Networking Service）を提供する装置である。以降、拡張現実感を利用したソーシャルネットワーキングサービスを「ＡＲ−ＳＮＳサービス」とも呼ぶ。なお、サーバー３００は、特許請求の範囲における「情報装置」に相当する。
【００２２】
ヘッドマウントディスプレイ１００は、通信キャリアＢＳを介して無線通信でインターネットＩＮＴに接続されている。サーバー３００は、有線通信でインターネットＩＮＴに接続されている。この結果、サーバー３００とヘッドマウントディスプレイ１００とは、互いにインターネットＩＮＴによって接続される。通信キャリアＢＳは、送受信アンテナや、無線基地局、交換局を含む。
【００２３】
ＡＲ−ＳＮＳサービスを提供するサーバー３００は、様々なクライアント装置から送信されるタグ情報（公開の対象となるテキストや画像等のタグと、タグが関連付けられている位置情報を対応付けた情報）を記憶する記憶部を持つ。クライアント装置とは、サーバー３００が提供するＡＲ−ＳＮＳサービスのクライアントたる装置を意味し、図１に示すヘッドマウントディスプレイ１００のほか、例えば、パーソナルコンピューターやスマートフォンがある。以降では、クライアント装置としてヘッドマウントディスプレイ１００を用いた場合について説明する。
【００２４】
クライアント装置としてのヘッドマウントディスプレイ１００は、サーバー３００に対して、使用者の現在位置と使用者の向きとを特定できる情報を送信する。使用者の現在位置と使用者の向きとを特定できる情報とは、具体的には、外景の画像、または、現在位置情報と方位情報である。サーバー３００は、ヘッドマウントディスプレイ１００から受信した情報に基づいて、記憶部から当該現在位置に対応付けられているタグを抽出し、ヘッドマウントディスプレイ１００へ送信する。ヘッドマウントディスプレイ１００は、サーバー３００から受信したタグを用いて付加提示用の情報を生成し、表示する。これにより、ヘッドマウントディスプレイ１００の使用者は、自身の現在位置に対応したタグを虚像として視認することができる。
【００２５】
Ａ−２．情報装置（サーバー）の構成：
サーバー３００は、ＲＯＭ３１０と、ＲＡＭ３２０と、通信部３３０と、ＣＰＵ３４０と、通信部３５０とを備えている。サーバー３００が備える各部はバスにより相互に接続されている。通信部３３０は、インターネットＩＮＴを介してヘッドマウントディスプレイ１００等の他のデバイスと通信を行う。ＣＰＵ３４０は、ＲＯＭ３１０や通信部３５０に格納されているコンピュータープログラムをＲＡＭ３２０に展開して実行することにより、抽出部３４２、更新部３４４として機能する。
【００２６】
抽出部３４２は、制限公開処理の制御主体となる。制限公開処理は、抽出部３４２が、タグ情報を記憶する記憶部（タグテーブル３５２）からタグを抽出し、抽出されたタグをヘッドマウントディスプレイ１００に表示させる処理である。更新部３４４は、制限更新処理の制御主体となる。制限更新処理は、ヘッドマウントディスプレイ１００から送信される情報を受信し、受信情報が条件を満たす場合に、当該受信情報を用いてタグ情報を記憶する記憶部（タグテーブル３５２）を更新する処理である。
【００２７】
通信部３５０は、例えば、ＲＯＭ、ＲＡＭ、ＤＲＡＭ、ハードディスク等によって構成されている。通信部３５０には、タグテーブル３５２と、更新条件テーブル３５４とが格納されている。
【００２８】
図２は、タグテーブル３５２の一例を示す説明図である。タグテーブル３５２は、サーバー３００による公開の対象となる情報を記憶（蓄積）するための記憶部である。タグテーブル３５２は、識別子と、タグと、位置情報と、抽出許可条件とを含んでいる。識別子には、タグを一意に識別するための情報が格納される。
【００２９】
タグには、ＡＲ−ＳＮＳサービスにおいて公開の対象となる情報が格納される。公開の対象となる情報としては、例えば、テキストファイルや、アプリケーションデーターファイルや、静止画および動画を含む画像ファイルや、音声ファイル等がある。テキストファイルは、文字など文字コードによって表されるデーターが含まれるファイルである。アプリケーションデーターファイルは、文書作成ソフトウェア等、任意のソフトウェア（アプリケーション）によって作成されたデーターが含まれるファイルである。画像ファイルは、静止画や動画のデーターが含まれるファイルである。音声ファイルは、音声データーが含まれるファイルである。本実施形態では、上記のようなテキストファイル、アプリケーションデーターファイル、画像ファイル、音声ファイルによって表される内容（コンテンツ）を「タグ」とも呼ぶ。なお、タグには、ファイルそのものが格納されてもよいし、サーバー３００の通信部３５０においてファイルが格納されている場所を表すファイルパスが格納されてもよい。
【００３０】
位置情報には、タグが関連付けられている実世界上における位置を特定するための情報が格納される。本実施形態では、実世界上における位置は、緯度と経度との組み合わせによって特定する。
【００３１】
抽出許可条件には、制限公開処理において、抽出部３４２がタグを抽出する際に用いる条件（換言すれば、タグの公開を許可するために用いる条件）が格納される。本実施形態では、抽出許可条件には、タグの公開を許可する使用者を指定する条件と、タグの公開日時を指定する条件と、が含まれる。タグの公開を許可する使用者を指定する条件としては、例えば、使用者情報の内容を指定する条件（タグ情報Ｔ２およびＴ６）、パスワード（認証情報）の内容を指定する条件（タグ情報Ｔ１０）等がある。なお、使用者情報とは、ヘッドマウントディスプレイ１００の使用者に関する情報である。タグの公開日時を指定する条件としては、例えば、タグの公開開始日と公開終了日との範囲を指定する条件（タグ情報Ｔ１）、タグの公開開始時刻と公開終了時刻との範囲を指定する条件（タグ情報Ｔ８）、タグの公開日と公開時刻との両方を指定する条件（タグ情報Ｔ９）等がある。また、図２の例では、抽出許可条件には、タグの公開を無制限に（換言すれば、全ての使用者に対して全ての日時で）許可する旨の条件（タグ情報Ｔ３〜Ｔ５、Ｔ７）も含まれている。
【００３２】
なお、識別子と、タグと、位置情報とを総称して「タグ情報」とも呼ぶ。タグは特許請求の範囲における「対象情報」に相当し、タグテーブル３５２は特許請求の範囲における「対象情報記憶部」に相当する。
【００３３】
図２の例では、タグ情報Ｔ１からは、実世界上における緯度ＸＸ．ＸＸＸＸ、経度ＸＸＸ．ＸＸＸＸで特定される位置に対して、識別子が００１、テキストファイルＡによって表されるタグが関連付けられていることがわかる。また、タグ情報Ｔ１のタグは、２０１３年２月２１日から２０１３年２月２６日までの間は公開が許可されることがわかる。同様に、タグ情報Ｔ２からは、実世界上における緯度ＸＸ．ＸＸＸＸ、経度ＸＸＸ．ＸＸＸＸで特定される位置に対して、識別子が００２、テキストファイルＢによって表されるタグが関連付けられていることがわかる。また、タグ情報Ｔ２のタグは、ヘッドマウントディスプレイ１００の使用者を識別するための使用者情報が「ＸＸＸ」である場合に、公開が許可されることがわかる。同様に、タグ情報Ｔ３からは、実世界上における緯度ＸＸ．ＸＸＸＸ、経度ＸＸＸ．ＸＸＸＸで特定される位置に対して、識別子が００３、音声ファイルＡによって表されるタグが関連付けられていることがわかる。また、タグ情報Ｔ３のタグは、無制限に公開が許可されることがわかる。なお、図２では、タグ情報Ｔ１〜Ｔ１０の緯度経度（位置情報）と、使用者情報やパスワードを構成する文字列と、を「Ｘ」を用いて表した。図２における「Ｘ」は、任意の文字列を意味し、実際は、それぞれ異なる文字列が挿入される。
【００３４】
図３は、更新条件テーブル３５４の一例を示す説明図である。更新条件テーブル３５４は、タグテーブル３５２の更新を許可するための更新許可条件を記憶する記憶部である。更新条件テーブル３５４は、制限領域情報と、更新許可条件とを含んでいる。
【００３５】
制限領域情報には、実世界上における、タグテーブル３５２の更新を制限する制限領域を特定する情報が格納される。本実施形態では、実世界上における領域は、範囲指定された緯度と、範囲指定された経度との組み合わせによって特定する。
【００３６】
更新許可条件には、制限更新処理において、更新部３４４がタグテーブル３５２の更新を許可するために用いる条件が格納される。本実施形態では、更新許可条件には、タグテーブル３５２の更新を許可する使用者を指定する条件と、タグテーブル３５２の更新日時を指定する条件と、タグテーブル３５２の更新を許可しない旨の条件と、が含まれる。タグテーブル３５２の更新を許可する使用者を指定する条件としては、例えば、使用者情報の内容を指定する条件（条件Ｃ１）、パスワード（認証情報）の内容を指定する条件（条件Ｃ６）等がある。タグテーブル３５２の更新日時を指定する条件としては、例えば、タグテーブル３５２が更新可能となる日（開始日）と更新不可能となる日（終了日）との範囲を指定する条件（条件Ｃ７）、タグテーブル３５２が更新可能となる時刻（開始時刻）と更新不可能となる時刻（終了時刻）との範囲を指定する条件（条件Ｃ４）、タグテーブル３５２が更新可能となる日と更新可能となる時刻との両方を指定する条件（条件Ｃ３）等がある。タグテーブル３５２の更新を許可しない旨の条件としては、例えば、条件Ｃ２、Ｃ５がある。
【００３７】
以上より、制限領域情報は、更新許可条件の有効領域を特定するための情報として用いられることがわかる。なお、更新条件テーブル３５４は特許請求の範囲における「更新許可条件記憶部」に相当する。
【００３８】
図３の例では、条件Ｃ１からは、実世界上における緯度がＸＸ．ＸＸＸＸからＸＸ．ＸＸＸＸの範囲、かつ、経度がＸＸＸ．ＸＸＸＸからＸＸＸ．ＸＸＸＸの範囲で特定される領域では、ヘッドマウントディスプレイ１００の使用者を識別するための使用者情報が「ＸＸＸ」である場合に、タグテーブル３５２の更新が許可されることがわかる。同様に、条件Ｃ２からは、実世界上における緯度がＸＸ．ＸＸＸＸからＸＸ．ＸＸＸＸの範囲、かつ、経度がＸＸＸ．ＸＸＸＸからＸＸＸ．ＸＸＸＸの範囲で特定される領域では、どのような場合であっても、タグテーブル３５２の更新が許可されないことがわかる。同様に、条件Ｃ３からは、実世界上における緯度がＸＸ．ＸＸＸＸからＸＸ．ＸＸＸＸの範囲、かつ、経度がＸＸＸ．ＸＸＸＸからＸＸＸ．ＸＸＸＸの範囲で特定される領域では、２０１３年４月２日の１０：００から１２：００までの間は、タグテーブル３５２の更新が許可されることがわかる。なお、図３では、条件Ｃ１〜Ｃ７の緯度経度（制限領域情報）と、使用者情報やパスワードを構成する文字列と、を「Ｘ」を用いて表した。図３における「Ｘ」は、任意の文字列を意味し、実際は、それぞれ異なる文字列が挿入される。
【００３９】
Ａ−３．頭部装着型表示装置（ヘッドマウントディスプレイ）の構成：
図４は、本発明の一実施形態における頭部装着型表示装置の概略構成を示す説明図である。ヘッドマウントディスプレイ１００は、使用者の頭部に装着された状態において使用者に虚像を視認させる画像表示部２０と、画像表示部２０を制御する制御部（コントローラー）１０とを備えている。
【００４０】
画像表示部２０は、使用者の頭部に装着される装着体であり、本実施形態では眼鏡形状を有している。画像表示部２０は、右保持部２１と、右表示駆動部２２と、左保持部２３と、左表示駆動部２４と、右光学像表示部２６と、左光学像表示部２８と、を含んでいる。右光学像表示部２６および左光学像表示部２８は、それぞれ、使用者が画像表示部２０を装着した際に使用者の右および左の眼前に位置するように配置されている。右光学像表示部２６の一端と左光学像表示部２８の一端とは、使用者が画像表示部２０を装着した際の使用者の眉間に対応する位置で、互いに接続されている。
【００４１】
右保持部２１は、右光学像表示部２６の他端である端部ＥＲから、使用者が画像表示部２０を装着した際の使用者の側頭部に対応する位置にかけて、延伸して設けられた部材である。同様に、左保持部２３は、左光学像表示部２８の他端である端部ＥＬから、使用者が画像表示部２０を装着した際の使用者の側頭部に対応する位置にかけて、延伸して設けられた部材である。右保持部２１および左保持部２３は、眼鏡のテンプル（つる）のようにして、使用者の頭部に画像表示部２０を保持する。
【００４２】
右表示駆動部２２は、右保持部２１の内側、換言すれば、使用者が画像表示部２０を装着した際の使用者の頭部に対向する側に配置されている。また、左表示駆動部２４は、左保持部２３の内側に配置されている。なお、以降では、右保持部２１および左保持部２３を総称して単に「保持部」とも呼び、右表示駆動部２２および左表示駆動部２４を総称して単に「表示駆動部」とも呼び、右光学像表示部２６および左光学像表示部２８を総称して単に「光学像表示部」とも呼ぶ。
【００４３】
表示駆動部は、液晶ディスプレイ（Liquid Crystal Display、以下「ＬＣＤ」と呼ぶ）２４１、２４２や投写光学系２５１、２５２等を含む（図２参照）。表示駆動部の構成の詳細は後述する。光学部材としての光学像表示部は、導光板２６１、２６２（図２参照）と調光板とを含んでいる。導光板２６１、２６２は、光透過性の樹脂材料等によって形成され、表示駆動部から出力された画像光を使用者の眼に導く。調光板は、薄板状の光学素子であり、画像表示部２０の表側（使用者の眼の側とは反対の側）を覆うように配置されている。調光板は、導光板２６１、２６２を保護し、導光板２６１、２６２の損傷や汚れの付着等を抑制する。また、調光板の光透過率を調整することによって、使用者の眼に入る外光量を調整して虚像の視認のしやすさを調整することができる。なお、調光板は省略可能である。
【００４４】
画像表示部２０は、さらに、画像表示部２０を制御部１０に接続するための接続部４０を有している。接続部４０は、制御部１０に接続される本体コード４８と、本体コード４８が２本に分岐した右コード４２および左コード４４と、分岐点に設けられた連結部材４６と、を含んでいる。右コード４２は、右保持部２１の延伸方向の先端部ＡＰから右保持部２１の筐体内に挿入され、右表示駆動部２２に接続されている。同様に、左コード４４は、左保持部２３の延伸方向の先端部ＡＰから左保持部２３の筐体内に挿入され、左表示駆動部２４に接続されている。連結部材４６には、イヤホンプラグ３０を接続するためのジャックが設けられている。イヤホンプラグ３０からは、右イヤホン３２および左イヤホン３４が延伸している。
【００４５】
画像表示部２０と制御部１０とは、接続部４０を介して各種信号の伝送を行う。本体コード４８における連結部材４６とは反対側の端部と、制御部１０とのそれぞれには、互いに嵌合するコネクター（図示省略）が設けられており、本体コード４８のコネクターと制御部１０のコネクターとの嵌合／嵌合解除により、制御部１０と画像表示部２０とが接続されたり切り離されたりする。右コード４２と、左コード４４と、本体コード４８には、例えば、金属ケーブルや光ファイバーを採用することができる。
【００４６】
制御部１０は、ヘッドマウントディスプレイ１００を制御するための装置である。制御部１０は、点灯部１２と、タッチパッド１４と、十字キー１６と、電源スイッチ１８とを含んでいる。点灯部１２は、ヘッドマウントディスプレイ１００の動作状態（例えば、電源のＯＮ／ＯＦＦ等）を、その発光態様によって通知する。点灯部１２としては、例えば、ＬＥＤ（Light Emitting Diode）を用いることができる。タッチパッド１４は、タッチパッド１４の操作面上での接触操作を検出して、検出内容に応じた信号を出力する。タッチパッド１４としては、静電式や圧力検出式、光学式といった種々のタッチパッドを採用することができる。十字キー１６は、上下左右方向に対応するキーへの押下操作を検出して、検出内容に応じた信号を出力する。電源スイッチ１８は、スイッチのスライド操作を検出することで、ヘッドマウントディスプレイ１００の電源の状態を切り替える。
【００４７】
図５は、ヘッドマウントディスプレイ１００の構成を機能的に示すブロック図である。制御部１０は、入力情報取得部１１０と、記憶部１２０と、電源１３０と、無線通信部１３２と、ＧＰＳモジュール１３４と、ＣＰＵ１４０と、インターフェイス１８０と、送信部（Ｔｘ）５１および５２とを備え、各部は図示しないバスにより相互に接続されている。
【００４８】
入力情報取得部１１０は、例えば、タッチパッド１４や十字キー１６、電源スイッチ１８などに対する操作入力に応じた信号を取得する。記憶部１２０は、ＲＯＭ、ＲＡＭ、ＤＲＡＭ、ハードディスク等によって構成されている。記憶部１２０には、ユーザー情報１２２が格納されている。ユーザー情報１２２には、ヘッドマウントディスプレイ１００の使用者に関する情報が予め記憶されている。使用者に関する情報には、例えば、使用者によって設定されたアカウント名（ハンドルネーム）、使用者によって設定されたパスワード等の認証情報、使用者の氏名、使用者の住所、使用者の電話番号、使用者のメールアドレス、ヘッドヘッドマウントディスプレイ１００のネットワークアドレス（例えばＩＰアドレス）、マウントディスプレイ１００のＭＡＣアドレス、使用者が利用する種々のサービスの提供元から提供されたアカウント名、使用者が利用する種々のサービスの提供元から提供されたパスワード等の認証情報のうちの、少なくとも一部の情報が含まれる。なお、使用者が利用する種々のサービスの提供元から提供されたアカウント名、パスワード（認証情報）には、提供されたまま変更されていないものと、提供後に使用者によって変更されたものとの両方を含む。
【００４９】
電源１３０は、ヘッドマウントディスプレイ１００の各部に電力を供給する。電源１３０としては、例えば二次電池を用いることができる。無線通信部１３２は、無線ＬＡＮやブルートゥースといった所定の無線通信規格に則って、他の機器との間で無線通信を行う。ＧＰＳモジュール１３４は、ＧＰＳ衛星からの信号を受信することにより、自身の現在位置を検出する。
【００５０】
ＣＰＵ１４０は、記憶部１２０に格納されているコンピュータープログラムを読み出して実行することにより、オペレーティングシステム（ОＳ）１５０、画像処理部１６０、音声処理部１７０、表示制御部１９０、タグ取得部１４２、情報生成部１４４、更新要求部１４６として機能する。タグ取得部１４２は、制限公開処理において、サーバー３００からタグを取得する。情報生成部１４４は、制限公開処理において、サーバー３００から受信したタグを用いて、ヘッドマウントディスプレイ１００の使用者へ拡張現実感を提供するための付加提示用の情報を生成する。更新要求部１４６は、制限更新処理において、サーバー３００に対してタグテーブル３５２を更新するための情報を送信する。なお、タグ取得部１４２は特許請求の範囲における「情報取得部」に相当する。
【００５１】
画像処理部１６０は、インターフェイス１８０や無線通信部１３２を介して入力されるコンテンツ（映像）に基づいて信号を生成する。そして、画像処理部１６０は、生成した信号を、接続部４０を介して画像表示部２０に供給する。画像表示部２０に供給するための信号は、アナログ形式とディジタル形式の場合で異なる。アナログ形式の場合、画像処理部１６０は、クロック信号ＰＣＬＫと、垂直同期信号ＶＳｙｎｃと、水平同期信号ＨＳｙｎｃと、画像データーＤａｔａとを生成・送信する。具体的には、画像処理部１６０は、コンテンツに含まれる画像信号を取得する。取得した画像信号は、例えば動画像の場合、一般的に１秒あたり３０枚のフレーム画像から構成されているアナログ信号である。画像処理部１６０は、取得した画像信号から、垂直同期信号ＶＳｙｎｃや水平同期信号ＨＳｙｎｃ等の同期信号を分離し、それらの周期に応じて、ＰＬＬ回路等によりクロック信号ＰＣＬＫを生成する。画像処理部１６０は、同期信号が分離されたアナログ画像信号を、Ａ／Ｄ変換回路等を用いてディジタル画像信号に変換する。画像処理部１６０は、変換後のディジタル画像信号を、ＲＧＢデーターの画像データーＤａｔａとして、１フレームごとに記憶部１２０内のＤＲＡＭに格納する。一方、ディジタル形式の場合、画像処理部１６０は、クロック信号ＰＣＬＫと、画像データーＤａｔａとを生成・送信する。具体的には、コンテンツがディジタル形式の場合、クロック信号ＰＣＬＫが画像信号に同期して出力されるため、垂直同期信号ＶＳｙｎｃおよび水平同期信号ＨＳｙｎｃの生成と、アナログ画像信号のＡ／Ｄ変換とが不要となる。なお、画像処理部１６０は、記憶部１２０に格納された画像データーＤａｔａに対して、解像度変換処理や、輝度・彩度の調整といった種々の色調補正処理や、キーストーン補正処理等の画像処理を実行してもよい。
【００５２】
画像処理部１６０は、生成されたクロック信号ＰＣＬＫ、垂直同期信号ＶＳｙｎｃ、水平同期信号ＨＳｙｎｃと、記憶部１２０内のＤＲＡＭに格納された画像データーＤａｔａとを、送信部５１、５２を介してそれぞれ送信する。なお、送信部５１を介して送信される画像データーＤａｔａを「右眼用画像データーＤａｔａ１」とも呼び、送信部５２を介して送信される画像データーＤａｔａを「左眼用画像データーＤａｔａ２」とも呼ぶ。送信部５１、５２は、制御部１０と画像表示部２０との間におけるシリアル伝送のためのトランシーバーとして機能する。
【００５３】
表示制御部１９０は、右表示駆動部２２および左表示駆動部２４を制御する制御信号を生成する。具体的には、表示制御部１９０は、制御信号により、右ＬＣＤ制御部２１１による右ＬＣＤ２４１の駆動ＯＮ／ＯＦＦや、右バックライト制御部２０１による右バックライト２２１の駆動ＯＮ／ＯＦＦ、左ＬＣＤ制御部２１２による左ＬＣＤ２４２の駆動ＯＮ／ＯＦＦや、左バックライト制御部２０２による左バックライト２２２の駆動ＯＮ／ＯＦＦなどを個別に制御することにより、右表示駆動部２２および左表示駆動部２４のそれぞれによる画像光の生成および射出を制御する。例えば、表示制御部１９０は、右表示駆動部２２および左表示駆動部２４の両方に画像光を生成させたり、一方のみに画像光を生成させたり、両方共に画像光を生成させなかったりする。また、表示制御部１９０は、右ＬＣＤ制御部２１１と左ＬＣＤ制御部２１２とに対する制御信号を、送信部５１および５２を介してそれぞれ送信する。また、表示制御部１９０は、右バックライト制御部２０１と左バックライト制御部２０２とに対する制御信号を、それぞれ送信する。
【００５４】
音声処理部１７０は、コンテンツに含まれる音声信号を取得し、取得した音声信号を増幅して、連結部材４６に接続された右イヤホン３２内の図示しないスピーカーおよび左イヤホン３４内の図示しないスピーカーに対して供給する。なお、例えば、Ｄｏｌｂｙ（登録商標）システムを採用した場合、音声信号に対する処理がなされ、右イヤホン３２および左イヤホン３４からは、それぞれ、例えば周波数等が変えられた異なる音が出力される。
【００５５】
インターフェイス１８０は、制御部１０に対して、コンテンツの供給元となる種々の外部機器ＯＡを接続するためのインターフェイスである。外部機器ОＡとしては、例えば、パーソナルコンピューターＰＣや携帯電話端末、ゲーム端末等がある。インターフェイス１８０としては、例えば、ＵＳＢインターフェイスや、マイクロＵＳＢインターフェイス、メモリーカード用インターフェイス等を用いることができる。
【００５６】
画像表示部２０は、右表示駆動部２２と、左表示駆動部２４と、右光学像表示部２６としての右導光板２６１と、左光学像表示部２８としての左導光板２６２と、９軸センサー６６とを備えている。
【００５７】
９軸センサー６６は、加速度（３軸）、角速度（３軸）、地磁気（３軸）を検出するモーションセンサーである。９軸センサー６６は、画像表示部２０に設けられているため、画像表示部２０が使用者の頭部に装着されているときには、使用者の頭部の動きを検出する動き検出部として機能する。ここで、頭部の動きとは、頭部の速度・加速度・角速度・向き・向きの変化を含む。
【００５８】
右表示駆動部２２は、受信部（Ｒｘ）５３と、光源として機能する右バックライト（ＢＬ）制御部２０１および右バックライト（ＢＬ）２２１と、表示素子として機能する右ＬＣＤ制御部２１１および右ＬＣＤ２４１と、右投写光学系２５１とを含んでいる。なお、右バックライト制御部２０１と、右ＬＣＤ制御部２１１と、右バックライト２２１と、右ＬＣＤ２４１とを総称して「画像光生成部」とも呼ぶ。
【００５９】
受信部５３は、制御部１０と画像表示部２０との間におけるシリアル伝送のためのレシーバーとして機能する。右バックライト制御部２０１は、入力された制御信号に基づいて、右バックライト２２１を駆動する。右バックライト２２１は、例えば、ＬＥＤやエレクトロルミネセンス（ＥＬ）等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用画像データーＤａｔａ１とに基づいて、右ＬＣＤ２４１を駆動する。右ＬＣＤ２４１は、複数の画素をマトリクス状に配置した透過型液晶パネルである。右ＬＣＤ２４１は、マトリクス状に配置された各画素位置の液晶を駆動することによって、右ＬＣＤ２４１を透過する光の透過率を変化させることにより、右バックライト２２１から照射される照明光を、画像を表す有効な画像光へと変調する。なお、本実施形態ではバックライト方式を採用することとしたが、フロントライト方式や、反射方式を用いて画像光を射出してもよい。
【００６０】
右投写光学系２５１は、右ＬＣＤ２４１から射出された画像光を並行状態の光束にするコリメートレンズによって構成される。右光学像表示部２６としての右導光板２６１は、右投写光学系２５１から出力された画像光を、所定の光路に沿って反射させつつ使用者の右眼ＲＥに導く。光学像表示部は、画像光を用いて使用者の眼前に虚像を形成する限りにおいて任意の方式を用いることができ、例えば、回折格子を用いても良いし、半透過反射膜を用いても良い。
【００６１】
左表示駆動部２４は、右表示駆動部２２と同様の構成を有している。すなわち、左表示駆動部２４は、受信部（Ｒｘ）５４と、光源として機能する左バックライト（ＢＬ）制御部２０２および左バックライト（ＢＬ）２２２と、表示素子として機能する左ＬＣＤ制御部２１２および左ＬＣＤ２４２と、左投写光学系２５２とを含んでいる。
【００６２】
図６は、使用者に視認される虚像の一例を示す説明図である。図６（Ａ）は、通常の表示処理中の使用者の視野ＶＲを例示している。上述のようにして、ヘッドマウントディスプレイ１００の使用者の両眼に導かれた画像光が使用者の網膜に結像することにより、使用者は虚像ＶＩを視認する。図６（Ａ）の例では、虚像ＶＩは、ヘッドマウントディスプレイ１００のＯＳの待ち受け画面である。また、使用者は、右光学像表示部２６および左光学像表示部２８を透過して外景ＳＣを視認する。このように、本実施形態のヘッドマウントディスプレイ１００の使用者は、視野ＶＲのうち虚像ＶＩが表示された部分については、虚像ＶＩと、虚像ＶＩの背後に外景ＳＣとを見ることができる。また、視野ＶＲのうち虚像ＶＩが表示されていない部分については、光学像表示部を透過して、外景ＳＣを直接見ることができる。
【００６３】
図６（Ｂ）は、制限公開処理中の使用者の視野ＶＲを例示している。制限公開処理において、ヘッドマウントディスプレイ１００の情報生成部１４４は、タグ取得部１４２によって取得されたタグを用いて、使用者が知覚する外景ＳＣを拡張するための付加提示用の情報を生成する。付加提示用の情報の生成方法については、後述する。なお、「外景ＳＣを拡張する」とは、使用者が眼にする現実環境、すなわち外景ＳＣに対して情報を付加、削除、強調、減衰させることを意味する。情報生成部１４４は、生成した付加提示用の情報を、画像処理部１６０へ送信する。付加提示用の情報を受信した画像処理部１６０では、図５で説明した表示処理が実行される。これにより、使用者は、付加提示用の情報を虚像ＶＩとして視認することができる。図６（Ｂ）の例では、虚像ＶＩには、外景ＳＣに含まれる現実の山の上に重なるように表示された吹き出し形状のタグＴＡ１と、外景ＳＣに含まれる木の前に表示されたノート形状のタグＴＡ２およびＴＡ３と、が含まれている。これにより、使用者は、外景ＳＣ上に吹き出しやノート形状のタグが付されているような感覚を得ることができる。
【００６４】
Ａ−４．制限公開処理：
図７は、制限公開処理の手順を表すフローチャートである。制限公開処理は、抽出部３４２が、タグ情報を記憶する記憶部（タグテーブル３５２）からタグを抽出し、抽出されたタグをヘッドマウントディスプレイ１００に表示させる処理である。なお、図７では、ヘッドマウントディスプレイ１００とサーバー３００とを１対１の関係で記載する。しかし、ヘッドマウントディスプレイ１００とサーバー３００とは、多対１の関係でもよく、多対多の関係でもよい。
【００６５】
ヘッドマウントディスプレイ１００のタグ取得部１４２は、サーバー３００に対して、現在位置情報と、方位情報と、使用者情報とが含まれたタグ取得要求を送信する（ステップＳ１０２）。ここで、情報生成部１４４は、現在位置情報として、ＧＰＳモジュール１３４（図５）により検出された制御部１０の位置情報を使用することができる。情報生成部１４４は、方位情報として、９軸センサー６６に含まれる地磁気センサー（図５）により検出された画像表示部２０の向きを使用することができる。情報生成部１４４は、使用者情報として、ユーザー情報１２２（図５）に格納されている情報を使用することができる。
【００６６】
図８は、制限公開処理のステップＳ１０４について説明するための説明図である。図８では、タグテーブル３５２のタグを、タグに対応付けられている位置情報に従った位置にプロットしている。図７のステップＳ１０４において、タグ取得要求を受信したサーバー３００の抽出部３４２は、表示範囲内のタグを抽出する。具体的には、抽出部３４２は、以下の手順ａ１〜ａ３を実行する。
【００６７】
（ａ１）抽出部３４２は、タグ取得要求に含まれる現在位置情報から、使用者の位置Ｄ１を決定する（図８）。
（ａ２）抽出部３４２は、タグ取得要求に含まれる方位情報から、使用者の向きＤ２を決定する（図８）。
（ａ３）抽出部３４２は、使用者の位置Ｄ１から使用者の向きＤ２に向かって延伸する所定の範囲ＳＡに含まれる位置情報を持つタグを、タグテーブル３５２から抽出する。
【００６８】
上記手順ａ１〜ａ３の結果、図８の例では、タグ情報Ｔ５、Ｔ６、Ｔ７、Ｔ８が抽出される。なお、手順ａ３における「所定の範囲ＳＡ」は、任意に定めることができる。しかし、違和感のない拡張現実感を提供するために、所定の範囲ＳＡは、使用者の視界の範囲と一致させることが好ましい。
【００６９】
図７のステップＳ１０６において、表示範囲内のタグを抽出した抽出部３４２は、さらに、抽出許可条件に合うタグを抽出する。具体的には、抽出部３４２は、ステップＳ１０４で抽出したタグの全てについて、それぞれ、以下の手順ｂ１〜ｂ４を実行する。
【００７０】
（ｂ１）タグテーブル３５２において、タグに対応付けられている抽出許可条件を参照する。
（ｂ２）抽出許可条件が、タグの公開を許可する使用者を指定する条件である場合、抽出部３４２は、タグ取得要求に含まれる使用者情報が、抽出許可条件を満たすか否かを判定する。使用者情報が抽出許可条件を満たす場合、抽出部３４２は、当該タグを抽出対象のタグとする。使用者情報が抽出許可条件を満たさない場合、抽出部３４２は、当該タグを破棄する。
（ｂ３）抽出許可条件が、タグの公開日時を指定する条件である場合、抽出部３４２は、現在の日時が、抽出許可条件を満たすか否かを判定する。なお、抽出部３４２は、現在の日時をＣＰＵ３４０内部のシステム時計から取得することができる。現在の日時が抽出許可条件を満たす場合、抽出部３４２は、当該タグを抽出対象のタグとする。現在の日時が抽出許可条件を満たさない場合、抽出部３４２は、当該タグを破棄する。
（ｂ４）抽出許可条件が、タグの公開を無制限に許可する旨の条件である場合、抽出部３４２は、当該タグを抽出対象のタグとする。
【００７１】
例えば、ステップＳ１０２のタグ取得要求が送信された送信日時が２０１３年２月２６日の２２：００であり、タグ取得要求に含まれる使用者情報が「ＸＸＸＸＸ」である場合、上記手順ｂ１〜ｂ４の結果、ステップＳ１０４で抽出されたタグ情報Ｔ５、Ｔ６、Ｔ７、Ｔ８の全てが抽出対象となる。一方、ステップＳ１０２のタグ取得要求が送信された送信日時が２０１３年２月２６日の１７：００であり、タグ取得要求に含まれる使用者情報が「ＸＸ」である場合、上記手順ｂ１〜ｂ４の結果、ステップＳ１０４で抽出されたタグ情報のうち、Ｔ５、Ｔ７のみが抽出対象となる。
【００７２】
図７のステップＳ１０８において、通信部３３０は、抽出部３４２により抽出されたタグをヘッドマウントディスプレイ１００へ送信する。なお、ステップＳ１０８において通信部３３０は、タグだけでなく、識別子や位置情報を含むタグ情報を送信してもよい。
【００７３】
ステップＳ１１０において、タグを受信したヘッドマウントディスプレイ１００のタグ取得部１４２は、情報生成部１４４に付加提示用の情報を生成させる。具体的には、情報生成部１４４は、以下の手順ｃ１〜ｃ４を実行する。
【００７４】
（ｃ１）情報生成部１４４は、タグ取得部１４２によって取得されたタグを記憶部１２０へ記憶させる。
（ｃ２）情報生成部１４４は、記憶部１２０に記憶されたタグへのリンクを表すアイコンを生成する。アイコンは、タグの種類や、ヘッドマウントディスプレイ１００の使用者の設定によって変更されてもいい。
（ｃ３）情報生成部１４４は、手順ｃ２で生成されたアイコンを任意の場所に配置し、他の部分には黒色のダミーデーターを配置した付加提示用の情報を生成する。なお、タグ取得部１４２が、タグと共に、当該タグに対応付けられた位置情報を取得している場合、情報生成部１４４は、取得された位置情報と、使用者の現在位置情報および方位情報とに基づいて、アイコンが配置される場所を決定してもよい。
（ｃ４）タグ取得部１４２によって取得されたタグが複数ある場合、情報生成部１４４は、手順ｃ１〜ｃ３を繰り返す。そして、情報生成部１４４は、生成した複数の付加提示用の情報を各レイヤーとした合成画像を生成し、生成した合成画像を（最終的な）付加提示用の情報とする。
【００７５】
図７のステップＳ１１２において、情報生成部１４４は、生成した付加提示用の情報を表示させる。詳細は図６（Ｂ）で説明した通りである。
【００７６】
図９は、制限公開処理のステップＳ１１２によって使用者に視認される虚像の一例を示す説明図である。図９の例では、虚像ＶＩには、外景ＳＣに含まれる観覧車に表示されたタグＴＡ５と、外景ＳＣに含まれる門の横に表示されたタグＴＡ６と、外景ＳＣに含まれる門の中央付近に表示されたタグＴＡ７と、外景ＳＣに含まれるジェットコースターに表示されたタグＴＡ８と、が含まれている。また、虚像ＶＩ（付加提示用の情報）における各タグの位置および大きさは、使用者の現在位置情報Ｄ１および方位情報Ｄ２を基準とした、各タグの位置情報の変化（図８）に応じて決定されている。すなわち、図８において使用者の現在位置情報Ｄ１の近くに対応付けられているタグＴＡ７は、虚像ＶＩの中心近傍に大きく表示され、図８において使用者の現在位置情報Ｄ１の遠くに対応付けられているタグＴＡ５やタグＴＡ８は、虚像ＶＩの端部に小さく表示される。このようにすれば、ヘッドマウントディスプレイ１００の使用者は、タグが対応付けられている位置を感覚的に把握することができる。
【００７７】
以上のように、第１実施形態の制限公開処理によれば、サーバー３００（情報装置）の抽出部３４２は、ヘッドマウントディスプレイ１００（頭部装着型表示装置）の使用者に関する情報である使用者情報に基づいて、タグテーブル３５２（対象情報記憶部）からタグ（対象情報）を抽出し、ヘッドマウントディスプレイ１００へ送信する。そして、ヘッドマウントディスプレイ１００は、取得されたタグを用いて付加提示用の情報を生成し、生成した付加提示用の情報を虚像ＶＩとして使用者に視認させる。このように、サーバー３００の抽出部３４２は、抽出許可条件を満たす使用者情報を送信したヘッドマウントディスプレイ１００の使用者に限って、タグを公開することができる。このため、ＡＲ−ＳＮＳサービスを提供する情報表示システムにおいて、情報の公開に制限を設けることができる。
【００７８】
さらに、サーバー３００（情報装置）の抽出部３４２は、タグの公開を許可する使用者を指定する条件を用いて、情報表示システム１０００におけるタグの公開を「使用者」単位で制限することができる。また、サーバー３００の抽出部３４２は、タグの公開日時を指定する条件を用いて、情報表示システム１０００におけるタグの公開を「日時」単位で制限することができる。
【００７９】
さらに、サーバー３００（情報装置）のタグテーブル３５２（対象情報記憶部）において、抽出許可条件がタグ（対象情報）に対して対応付けられて記憶されているため、タグごとに、きめ細やかに公開の制限を設けることができる。
【００８０】
Ａ−４−１．タグテーブル３５２のバリエーション:
図１０は、タグテーブル３５２の他の例を示す説明図である。図１０（Ａ）は、タグテーブル３５２の第１のバリエーションを示す説明図である。図２に示すタグテーブル３５２との違いは、識別子と、タグと、位置情報と、抽出許可条件とに加えて、さらに重要度を備える点である。重要度には、タグの重要度が格納される。重要度の値は、例えば、使用者がタグ情報をタグテーブル３５２にアップロードする際に設定することができる。例えば、図１０（Ａ）の例では、タグ情報Ｔ１の重要度は「高」であることがわかる。同様に、タグ情報Ｔ２の重要度は「中」であることが、タグ情報Ｔ３の重要度は「緊急」であることがわかる。なお、重要度は、図１０のような表現方法を用いてもよいし、アルファベットや数字に重要度を対応付けてもよい。重要度は特許請求の範囲における「順序情報」に相当する。
【００８１】
重要度は、ヘッドマウントディスプレイ１００においてタグが表示される順序を決定するために用いられる。制限公開処理（図７）のステップＳ１０８において、サーバー３００の抽出部３４２は、抽出したタグと共に、抽出したタグに対応付けられている重要度をヘッドマウントディスプレイ１００へ送信する。ステップＳ１１０において、ヘッドマウントディスプレイ１００の情報生成部１４４は、受信した重要度に従った順序で受信したタグを重畳させて、付加提示用の情報を生成する。具体的には、情報生成部１４４は、付加提示用の情報を生成する手順ｃ４において、生成した複数の付加提示用の情報を各レイヤーとした合成画像を生成する際に、重要度の高いタグによって生成された付加提示用の情報を上位のレイヤーに配置する。
【００８２】
図１０（Ｂ）は、タグテーブル３５２の第２のバリエーションを示す説明図である。図２に示すタグテーブル３５２との違いは、識別子と、タグと、位置情報と、抽出許可条件とに加えて、さらに同意数を備える点である。同意数には、タグに対する使用者からの評価が格納される。同意数の値は、例えば、タグを閲覧した使用者が、ボタン押下等の何らかの操作を行った場合にインクリメントされる。すなわち、同意数の値が大きければ大きいほど、当該タグに同意した使用者の数が多いことがわかる。例えば、図１０（Ｂ）の例では、タグ情報Ｔ１の同意数は「８」であることがわかる。同様に、タグ情報Ｔ２の同意数は「１５」であることが、タグ情報Ｔ３の同意数は「２４３」であることがわかる。なお、同意数は、図１０のような表現方法を用いてもよいし、アルファベットや数字に同意数を対応付けてもよい。同意数は特許請求の範囲における「順序情報」に相当する。
【００８３】
同意数は、ヘッドマウントディスプレイ１００においてタグが表示される順序を決定するために用いられる。制限公開処理（図７）のステップＳ１０８において、サーバー３００の抽出部３４２は、抽出したタグと共に、抽出したタグに対応付けられている同意数をヘッドマウントディスプレイ１００へ送信する。ステップＳ１１０において、ヘッドマウントディスプレイ１００の情報生成部１４４は、受信した同意数に従った順序で受信したタグを重畳させて、付加提示用の情報を生成する。具体的には、情報生成部１４４は、付加提示用の情報を生成する手順ｃ４において、生成した複数の付加提示用の情報を各レイヤーとした合成画像を生成する際に、同意数の多いタグによって生成された付加提示用の情報を上位のレイヤーに配置する。
【００８４】
以上のように、タグテーブル３５２の第１および第２のバリエーションを用いた制限公開処理によれば、サーバー３００（情報装置）は、タグ（対象情報）と共にタグの表示順を決定するための重要度または同意数（順序情報）をヘッドマウントディスプレイ１００（頭部装着型表示装置）へ送信する。ヘッドマウントディスプレイ１００では、複数のタグを受信した場合に、順序情報に従った順序でタグを重畳させて付加提示用の情報を生成する。このように、サーバー３００は、ヘッドマウントディスプレイ１００へ複数のタグを送信する場合に、どのタグを付加提示用の情報において上のレイヤーに表示させるか、すなわち、どのタグを使用者に対して視認させやすくするかを、順序情報を用いて指定することができる。
【００８５】
Ａ−５．制限更新処理：
図１１は、制限更新処理の手順を表すフローチャートである。制限更新処理は、クライアント装置（ヘッドマウントディスプレイ１００）から送信される情報を受信し、受信情報が条件を満たす場合に、当該受信情報を用いてタグ情報を記憶する記憶部（タグテーブル３５２）を更新する処理である。なお、図１１では、ヘッドマウントディスプレイ１００とサーバー３００とを１対１の関係で記載する。しかし、ヘッドマウントディスプレイ１００とサーバー３００とは、多対１の関係でもよく、多対多の関係でもよい。
【００８６】
ヘッドマウントディスプレイ１００の更新要求部１４６は、サーバー３００に対して、現在位置情報と、タグと、使用者情報とが含まれたタグ書込要求を送信する（ステップＳ２０２）。現在位置情報と使用者情報については図７のステップＳ１０２と同様である。また、タグは、ヘッドマウントディスプレイ１００の使用者によって指定された公開の対象となる情報であり、テキストファイル、アプリケーションデーターファイル、静止画や動画を含む画像ファイル、音声ファイル等を含む。
【００８７】
図１２は、制限更新処理のステップＳ２０４について説明するための説明図である。図１２では、更新条件テーブル３５４の制限領域情報で指定される制限領域（すなわち、更新許可条件の有効領域）を破線で表している。また、タグテーブル３５２のタグを、タグに対応付けられている位置情報に従った位置にプロットしている。図１２のステップＳ２０４において、タグ書込要求を受信したサーバー３００の更新部３４４は、タグ書込要求を送信したヘッドマウントディスプレイ１００の位置が、制限領域に含まれるか否かを判定する。具体的には、更新部３４４は、以下の手順ｄ１、ｄ２を実行する。
【００８８】
（ｄ１）更新部３４４は、タグ書込要求に含まれる現在位置情報から、使用者の位置Ｄ１を決定する（図１２）。
（ｄ２）更新部３４４は、使用者の位置Ｄ１が、更新条件テーブル３５４の制限領域情報に規定されている制限領域Ｃ１〜Ｃ７の範囲内であるか否かを判定する（図１２）。
【００８９】
ヘッドマウントディスプレイ１００の位置が制限領域Ｃ１〜Ｃ７の範囲内でない場合、更新部３４４は、受信したタグをタグテーブル３５２に書き込む（ステップＳ２０６）。具体的には、更新部３４４は、タグ書込要求に含まれるタグを用いて、タグテーブル３５２のタグを更新する。同様に、更新部３４４は、タグ書込要求に含まれる現在位置情報を用いてタグテーブル３５２の位置情報を更新し、システム的に割り振った一意な識別子を用いて識別子を更新する。なお、タグ書込要求にタグの抽出許可条件が含まれる場合、更新部３４４は、タグテーブル３５２の抽出許可条件を更新する。
【００９０】
一方、ヘッドマウントディスプレイ１００の位置が制限領域Ｃ１〜Ｃ７の範囲内に含まれる場合、更新部３４４は、受信したタグのうち、更新許可条件に合うタグをタグテーブル３５２に書き込む（ステップＳ２０８）。具体的には、更新部３４４は、以下の手順ｅ１〜ｅ４を実行する。
【００９１】
（ｅ１）更新条件テーブル３５４において、ヘッドマウントディスプレイ１００が位置する制限領域（上記手順ｄ２で求めた）に対応付けられている更新許可条件を参照する。
（ｅ２）更新許可条件が、タグテーブル３５２の更新を許可する使用者を指定する条件である場合、更新部３４４は、タグ書込要求に含まれる使用者情報が、更新許可条件を満たすか否かを判定する。使用者情報が更新許可条件を満たす場合、更新部３４４は、受信したタグ書込要求に含まれるタグを、タグテーブル３５２に書き込む。詳細は、ステップＳ２０６と同様である。使用者情報が更新許可条件を満たさない場合、更新部３４４は、当該タグ書込要求を破棄する。
（ｅ３）更新許可条件が、タグテーブル３５２の更新日時を指定する条件である場合、更新部３４４は、現在の日時が、更新許可条件を満たすか否かを判定する。なお、更新部３４４は、現在の日時をＣＰＵ３４０内部のシステム時計から取得することができる。現在の日時が更新許可条件を満たす場合、更新部３４４は、受信したタグ書込要求に含まれるタグを、タグテーブル３５２に書き込む。詳細は、ステップＳ２０６と同様である。現在の日時が更新許可条件を満たさない場合、更新部３４４は、当該タグ書込要求を破棄する。
（ｅ４）更新許可条件が、タグテーブル３５２の更新を許可しない旨の条件である場合、更新部３４４は、当該タグ書込要求を破棄する。
【００９２】
図１１のステップＳ２１０において、更新部３４４は、処理結果をヘッドマウントディスプレイ１００へ送信する。処理結果を受信したヘッドマウントディスプレイ１００の更新要求部１４６は、処理結果を使用者へ通知するための通知画面を生成し、画像処理部１６０へ送信する。画像処理部１６０によって図５で説明した表示処理がされることにより、ヘッドマウントディスプレイ１００の使用者は、通知画面を虚像ＶＩとして視認することができる。
【００９３】
以上のように、第１実施形態の制限更新処理によれば、サーバー３００（情報装置）の更新部３４４は、ヘッドマウントディスプレイ１００（頭部装着型表示装置）から受信したタグ書込要求（受信情報）が更新許可条件を満たす場合に、タグ書込要求を用いてタグテーブル３５２（対象情報記憶部）を更新する。このため、タグテーブル３５２に蓄積されるタグ（情報）を、更新許可条件を満たす情報に限定することができる。この結果、ＡＲ−ＳＮＳサービスを提供する情報表示システム１０００において、情報の蓄積に制限を設けることができる。
【００９４】
さらに、サーバー３００（情報装置）の更新部３４４は、タグテーブル３５２（対象情報記憶部）の更新を許可する使用者を指定する条件を用いて、タグテーブル３５２に対する情報の蓄積を「使用者」単位で制限することができる。また、サーバー３００の更新部３４４は、タグテーブル３５２の更新日時を指定する条件を用いて、タグテーブル３５２に対する情報の蓄積を「日時」単位で制限することができる。また、サーバー３００の更新部３４４は、タグテーブル３５２の更新を許可しない旨の条件を用いて、タグテーブル３５２に対する情報の蓄積を全て制限することができる。
【００９５】
さらに、サーバー３００（情報装置）の更新条件テーブル３５４（更新条件記憶）において、更新許可条件に対応付けられて、タグテーブル３５２（対象情報記憶部）の更新を制限する制限領域を特定するための制限領域情報が記憶されている。このため、サーバー３００の更新部３４４は、更新許可条件を、制限領域ごとに適用することができる。この結果、ＡＲ−ＳＮＳサービスを提供する情報表示システム１０００において、制限領域ごとに、きめ細やかに情報の蓄積に制限を設けることができる。
【００９６】
Ｂ．第２実施形態:
本発明の第２実施形態では、情報表示システムを単一の頭部装着型表示装置のみで実施する構成について説明する。以下では、第１実施形態と異なる構成および動作を有する部分についてのみ説明する。なお、図中において第１実施形態と同様の構成部分については先に説明した第１実施形態と同様の符号を付し、その詳細な説明を省略する。
【００９７】
Ｂ−１．情報表示システムの構成:
第２実施形態の情報表示システムは、ヘッドマウントディスプレイを備えている。図１に示した第１実施形態との違いは、サーバー３００を備えていない点である。
【００９８】
Ｂ−２．頭部装着型表示装置（ヘッドマウントディスプレイ）の構成：
図１３は、第２実施形態におけるヘッドマウントディスプレイ１００ａの構成を機能的に示すブロック図である。図５に示した第１実施形態との違いは、制御部１０に代えて制御部１０ａを備える点である。制御部１０ａは、記憶部１２０に代えて記憶部１２０ａを備え、ＣＰＵ１４０に代えてＣＰＵ１４０ａを備えている。
【００９９】
記憶部１２０ａは、ユーザー情報１２２に加えて、さらにタグテーブル１２４と更新条件テーブル１２６とを備えている。タグテーブル１２４の構成は、図２に示したタグテーブル３５２と同様である。更新条件テーブル１２６の構成は、図３に示した更新条件テーブル３５４と同様である。
【０１００】
ＣＰＵ１４０ａは、ＯＳ１５０と、画像処理部１６０と、音声処理部１７０と、表示制御部１９０と、タグ取得部１４２と、情報生成部１４４と、更新要求部１４６とに加えて、抽出部１４８と、更新部１４９とを備えている。抽出部１４８の機能および動作は、図１に示した抽出部３４２と同様である。ただし、抽出部１４８は、タグテーブル１２４を参照する。更新部１４９の機能および動作は、図１に示した更新部３４４と同様である。ただし、更新部１４９は、更新条件テーブル１２６を参照し、タグテーブル１２４を更新対象とする。
【０１０１】
Ｂ−３．制限公開処理:
第２実施形態における制限公開処理は、図７に示した「Ａ−４．制限公開処理」と同様である。ただし、第２実施形態における制限公開処理の制御主体は、抽出部１４８となる。
【０１０２】
Ｂ−４．制限更新処理:
第２実施形態における制限更新処理は、図１１に示した「Ａ−５．制限更新処理」と同様である。ただし、第２実施形態における制限公開処理の制御主体は、更新部１４９となる。
【０１０３】
以上のように、第２実施形態においても、第１実施形態と同様の効果を得ることができる。また、上記第２実施形態によれば、単一のヘッドマウントディスプレイ１００ａ（頭部装着型表示装置）において、第１実施形態の情報表示システム１０００と同様のサービスを使用者に対して提供することができる。
【０１０４】
Ｃ．変形例：
上記実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。その他、以下のような変形も可能である。
【０１０５】
・変形例１:
上記実施形態では、情報表示システムの構成について例示した。しかし、情報表示システムの構成は、本発明の要旨を逸脱しない範囲において任意に定めることが可能であり、例えば、構成要素の追加・削除・変換等を行うことができる。
【０１０６】
例えば、情報表示システムは、ヘッドマウントディスプレイと、サーバーとを備える構成としたが、しかし、ヘッドマウントディスプレイとサーバーとは、多対１の関係でもよく、多対多の関係でもよい。また、ＡＲ−ＳＮＳサービスの提供を受けるクライアント装置は、ヘッドマウントディスプレイ以外の種々の装置、例えば、パーソナルコンピューター、スマートフォン、携帯電話、カーナビゲーションシステム、ＰＤＡ（Personal Digital Assistant）等であってもよい。
【０１０７】
例えば、サーバーが備える抽出部、更新部等の機能部は、ＣＰＵがＲＯＭやハードディスクに格納されているコンピュータープログラムをＲＡＭに展開して実行することにより実現されるものとして記載した。しかし、これら機能部は、当該機能を実現するために設計されたＡＳＩＣ（Application Specific Integrated Circuit：特定用途向け集積回路）を用いて構成されてもよい。
【０１０８】
・変形例２：
上記実施形態では、ヘッドマウントディスプレイの構成について例示した。しかし、ヘッドマウントディスプレイの構成は、本発明の要旨を逸脱しない範囲において任意に定めることが可能であり、例えば、各構成部の追加・削除・変換等を行うことができる。
【０１０９】
上記実施形態における、制御部と、画像表示部とに対する構成要素の割り振りは、あくまで一例であり、種々の態様を採用可能である。例えば、以下のような態様としてもよい。（i）制御部にＣＰＵやメモリー等の処理機能を搭載、画像表示部には表示機能のみを搭載する態様、（ｉｉ）制御部と画像表示部との両方にＣＰＵやメモリー等の処理機能を搭載する態様、（ｉｉｉ）制御部と画像表示部とを一体化した態様（例えば、画像表示部に制御部が含まれ眼鏡型のウェアラブルコンピューターとして機能する態様）、（ｉｖ）制御部の代わりにスマートフォンや携帯型ゲーム機を使用する態様、（ｖ）制御部と画像表示部とを無線通信かつワイヤレス給電可能な構成とすることにより接続部（コード）を廃した態様。
【０１１０】
上記実施形態では、説明の便宜上、制御部が送信部を備え、画像表示部が受信部を備えるものとした。しかし、上記実施形態の送信部および受信部は、いずれも、双方向通信が可能な機能を備えており、送受信部として機能することができる。また、例えば、図５に示した制御部は、有線の信号伝送路を介して画像表示部と接続されているものとした。しかし、制御部と、画像表示部とは、無線ＬＡＮや赤外線通信やＢｌｕｅｔｏｏｔｈ（登録商標）等の無線の信号伝送路を介した接続により接続されていてもよい。
【０１１１】
例えば、図５に示した制御部、画像表示部の構成は任意に変更することができる。具体的には、例えば、制御部からタッチパッドを省略し、十字キーのみで操作する構成としてもよい。また、制御部に操作用スティック等の他の操作用インターフェイスを備えても良い。また、制御部にはキーボードやマウス等のデバイスを接続可能な構成として、キーボードやマウスから入力を受け付けるものとしてもよい。また、例えば、タッチパッドや十字キーによる操作入力のほか、フットスイッチ（使用者の足により操作するスイッチ）による操作入力を取得してもよい。例えば、画像表示部に赤外線センサー等の視線検知部を設けた上で、使用者の視線を検知し、視線の動きに対応付けられたコマンドによる操作入力を取得してもよい。例えば、カメラを用いて使用者のジェスチャーを検知し、ジェスチャーに対応付けられたコマンドによる操作入力を取得してもよい。ジェスチャー検知の際は、使用者の指先や、使用者の手に付けられた指輪や、使用者の手にする医療器具等を動き検出のための目印にすることができる。フットスイッチや視線による操作入力を取得可能とすれば、使用者が手を離すことが困難である作業においても、入力情報取得部は、使用者からの操作入力を取得することができる。
【０１１２】
例えば、ヘッドマウントディスプレイは、両眼タイプの透過型ヘッドマウントディスプレイであるものとしたが、単眼タイプのヘッドマウントディスプレイとしてもよい。また、使用者がヘッドマウントディスプレイを装着した状態において外景の透過が遮断される非透過型ヘッドマウントディスプレイとして構成してもよい。
【０１１３】
図１４は、変形例におけるヘッドマウントディスプレイの外観の構成を示す説明図である。図１４（Ａ）の例の場合、図１に示したヘッドマウントディスプレイ１００との違いは、画像表示部２０ｂが、右光学像表示部２６に代えて右光学像表示部２６ｂを備える点と、左光学像表示部２８に代えて左光学像表示部２８ｂを備える点である。右光学像表示部２６ｂは、第１実施形態の光学部材よりも小さく形成され、ヘッドマウントディスプレイの装着時における使用者の右眼の斜め上に配置されている。同様に、左光学像表示部２８ｂは、第１実施形態の光学部材よりも小さく形成され、ヘッドマウントディスプレイの装着時における使用者の左眼の斜め上に配置されている。図１４（Ｂ）の例の場合、図１に示したヘッドマウントディスプレイ１００との違いは、画像表示部２０ｃが、右光学像表示部２６に代えて右光学像表示部２６ｃを備える点と、左光学像表示部２８に代えて左光学像表示部２８ｃを備える点である。右光学像表示部２６ｃは、第１実施形態の光学部材よりも小さく形成され、ヘッドマウントディスプレイの装着時における使用者の右眼の斜め下に配置されている。左光学像表示部２８ｃは、第１実施形態の光学部材よりも小さく形成され、ヘッドマウントディスプレイの装着時における使用者の左眼の斜め下に配置されている。このように、光学像表示部は使用者の眼の近傍に配置されていれば足りる。また、光学像表示部を形成する光学部材の大きさも任意であり、光学像表示部が使用者の眼の一部分のみを覆う態様、換言すれば、光学像表示部が使用者の眼を完全に覆わない態様のヘッドマウントディスプレイとして実現することもできる。
【０１１４】
例えば、画像処理部、表示制御部、タグ取得部、情報生成部、更新要求部、抽出部、更新部、音声処理部等の機能部は、ＣＰＵがＲＯＭやハードディスクに格納されているコンピュータープログラムをＲＡＭに展開して実行することにより実現されるものとして記載した。しかし、これら機能部は、当該機能を実現するために設計されたＡＳＩＣ（Application Specific Integrated Circuit：特定用途向け集積回路）を用いて構成されてもよい。
【０１１５】
例えば、上記実施形態では、画像表示部を眼鏡のように装着するヘッドマウントディスプレイであるとしているが、画像表示部が通常の平面型ディスプレイ装置（液晶ディスプレイ装置、プラズマディスプレイ装置、有機ＥＬディスプレイ装置等）であるとしてもよい。この場合にも、制御部と画像表示部との間の接続は、有線の信号伝送路を介した接続であってもよいし、無線の信号伝送路を介した接続であってもよい。このようにすれば、制御部を、通常の平面型ディスプレイ装置のリモコンとして利用することもできる。
【０１１６】
また、画像表示部として、眼鏡のように装着する画像表示部に代えて、例えば帽子のように装着する画像表示部といった他の形状の画像表示部を採用してもよい。また、イヤホンは耳掛け型やヘッドバンド型を採用してもよく、省略しても良い。また、例えば、自動車や飛行機等の車両に搭載されるヘッドアップディスプレイ（ＨＵＤ、Head-Up Display）として構成されてもよい。また、例えば、ヘルメット等の身体防護具に内蔵されたヘッドマウントディスプレイとして構成されてもよい。
【０１１７】
例えば、上記実施形態では、電源として二次電池を用いることしたが、電源としては二次電池に限らず、種々の電池を使用することができる。例えば、一次電池や、燃料電池、太陽電池、熱電池等を使用してもよい。
【０１１８】
例えば、上記実施形態では、画像光生成部は、バックライトと、バックライト制御部と、ＬＣＤと、ＬＣＤ制御部とを用いて構成されるものとした。しかし、上記の態様はあくまで例示である。画像光生成部は、これらの構成部と共に、またはこれらの構成部に代えて、他の方式を実現するための構成部を備えていても良い。例えば、画像光生成部は、有機ＥＬ（有機エレクトロルミネッセンス、Organic Electro-Luminescence）のディスプレイと、有機ＥＬ制御部とを備える構成としても良い。また、例えば、画像生成部は、ＬＣＤに代えてデジタル・マイクロミラー・デバイス等を用いることもできる。また、例えば、レーザー網膜投影型の頭部装着型表示装置に対して本発明を適用することも可能である。
【０１１９】
・変形例３：
上記実施形態では、タグテーブル（対象情報記憶部）および更新条件テーブル（更新許可条件記憶部）の一例を示した。しかし、これらのテーブルの詳細はあくまで一例であり、種々の変更が可能である。例えば、フィールドの追加、削除、変更を行うことができる。また、これらのテーブルは、複数のテーブルに分割して正規化してもよい。なお、「フィールド」とは、データベースフィールド（レコードにデーターを入力する際の基本単位）を意味する。
【０１２０】
例えば、タグテーブルにおいて、抽出許可条件はタグに対して１対１に対応付けられて記憶されるものとしたが、抽出許可条件は、複数のタグに関連付けられて記憶されていてもよい。
【０１２１】
例えば、タグテーブルにおいて、図２に示したフィールド以外の他のフィールドを備えていてもよい。例えば、タグの用途を表す「用途」フィールドを備えていてもよい。また、用途フィールドを用いた新たな抽出許可条件を設けてもよい。
【０１２２】
例えば、更新条件テーブルにおいて、図３に示したフィールド以外の他のフィールドを備えていてもよい。例えば、タグテーブルを更新可能なデバイスの種類を規定する「デバイス種類」フィールドを備えていてもよい。
【０１２３】
図２に例示した抽出許可条件の内容、および、図３に例示した更新許可条件の内容は、あくまで一例であり、種々の変形が可能である。抽出許可条件の「タグの公開を許可する使用者を指定する条件」として、例えば、使用者の身長が所定の閾値を超えている場合、という条件を使用してもよい。この場合、ヘッドマウントディスプレイに高度計を内蔵する構成とし、制限公開処理（図７）のステップＳ１０２において、ヘッドマウントディスプレイは、タグ取得要求と共に高度計の測定値を送信することができる。このようにすれば、使用者の身長に応じてタグの表示を変えることができる。また、使用者の身長から当該使用者が大人か子供かを推定することができる。また、例えば、使用者の脈拍や体温等が所定の閾値を超えている場合、という条件を使用してもよい。この場合、ヘッドマウントディスプレイに脈拍計や体温計を内蔵する構成とし、制限公開処理（図７）のステップＳ１０２において、ヘッドマウントディスプレイは、タグ取得要求と共に脈拍計や体温計の測定値を送信することができる。このようにすれば、使用者の健康状態に応じてタグの表示を変えることができる。
【０１２４】
・変形例４：
上記実施形態では、ユーザー情報の一例を示した。しかし、ユーザー情報は、種々の変形が可能である。例えば、一部の項目を省略してもよいし、更なる他の項目を追加してもよい。
【０１２５】
例えば、認証情報としてパスワードを用いることとしたが、認証情報としては、サイン、指紋認証に用いる指紋読み取り情報、手のひら静脈認証に用いる静脈読み取り情報、声紋認証に用いる声紋読み取り情報、網膜認証に用いる網膜読み取り情報、ディジタル証明書、ワンタイムパスワード等、種々の情報を採用することができる。
【０１２６】
・変形例５:
上記実施形態（図７）では、制限公開処理の一例を示した。しかし、上記制限公開処理の手順はあくまで一例であり、種々の変形が可能である。例えば、一部のステップを省略してもよいし、更なる他のステップを追加してもよい。また、実行されるステップの順序を変更してもよい。
【０１２７】
例えば、制限公開処理では、ヘッドマウントディスプレイの現在位置情報と方位情報とからタグを抽出するパススルー方式に基づくＡＲ−ＳＮＳサービスを例示して説明した。しかし、ヘッドマウントディスプレイの使用者の視界方向の画像を画像認識してタグを抽出する画像認識による方法においても、制限公開処理を実行することができる。この場合、サーバーの抽出部は、現在位置情報と方位情報に代えて、使用者の視界方向の画像を受信し、受信した視界方向の画像に基づいて、タグテーブルからタグを抽出する。そして、抽出部は、抽出したタグに対応付けられている抽出許可条件を用いて、同様の処理を行うことができる。
【０１２８】
例えば、ステップＳ１１０において、ヘッドマウントディスプレイの情報生成部は、付加提示用の情報の生成手順ｃ１〜ｃ４のうち、手順ｃ２において生成するアイコンの色を、タグの重要度やタグの同意数に応じて変更してもよい。
【０１２９】
ステップＳ１１２において、情報生成部が付加提示用の情報を生成する方法の一例を挙げた。しかし、上記で説明した方法（使用者の現在位置情報Ｄ１および方位情報Ｄ２を基準として付加提示用の情報における各タグの位置および大きさを変更する方法）はあくまで一例であり、種々の変更が可能である。例えば、画像表示部に対して、使用者の視界方向の外景（外部の景色）を撮像し、外景画像を取得するカメラを設ける。情報生成部は、カメラにより取得された外景画像を画像認識して、タグを配置する位置とタグの大きさとを決定してもよい。この場合、情報生成部は、例えば、建物のドアや門扉を画像認識して、ドアや門扉に重畳させるような位置に、または、ドアや門扉の近傍にあたる位置に対してタグを配置してもよい。また、情報生成部は、例えば、道路標識や店舗の看板を画像認識して、標識や看板に重畳させるような位置に、または、標識や看板の近傍にあたる位置に対してタグを配置してもよい。また、情報生成部は、山やビルと空との境界を画像認識して、この境界に重畳させるような位置に、または、境界の近傍にあたる位置に対してタグを配置してもよい。
【０１３０】
例えば、画像表示部または制御部に対して、近距離無線通信または中距離無線通信を可能とする無線通信インターフェイスを備える構成とする。この無線通信インターフェイスは、外界の門扉、ドア、アーチ等に内蔵されている近距離無線通信チップまたは中距離無線通信チップに記憶されている情報を読み取る。ステップＳ１１２において、情報生成部は、無線通信インターフェイスによる読み取り結果に応じて、付加提示用の情報におけるタグの表示有無、タグの位置、タグの大きさ等を変更してもよい。そうすれば、外界の門扉、ドア、アーチ等の所有者（以降、単に「所有者」と呼ぶ）は、タグを公開したくない場合はチップにその旨を記憶させておけばよく、タグを限定的に公開したい場合もチップにその旨を記憶させておけばよい。すなわち、所有者の意思で以て、手軽にタグの公開可否を制限することができる。
【０１３１】
・変形例６:
上記実施形態では、制限更新処理の一例を示した。しかし、上記制限更新処理の手順はあくまで一例であり、種々の変形が可能である。例えば、一部のステップを省略してもよいし、更なる他のステップを追加してもよい。また、実行されるステップの順序を変更してもよい。
【０１３２】
例えば、ステップＳ２１０の処理結果の送信ステップと、ステップＳ２１２の処理結果の表示ステップとは、省略してもよい。
【０１３３】
例えば、上記実施形態の制限更新処理では、タグを書き込むことができない場所（更新条件テーブルの更新許可条件が「許可しない」に設定されている場所）をヘッドマウントディスプレイの使用者に対して通知する処理については言及していない。しかし、サーバーは、ヘッドマウントディスプレイの現在位置情報に基づいて、ヘッドマウントディスプレイに対して、タグを書き込むことができない場所に入ったことや、タグを書き込むことができない場所が近いことおよびその方向等を通知してもよい。通知の態様は、タグとして表示させてもよく、音声で案内されてもよい。
【０１３４】
・変形例７：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【０１３５】
１０…制御部（コントローラー）
１２…点灯部
１４…タッチパッド
１６…十字キー
１８…電源スイッチ
２０…画像表示部
２１…右保持部
２２…右表示駆動部
２３…左保持部
２４…左表示駆動部
２６…右光学像表示部
２８…左光学像表示部
３０…イヤホンプラグ
３２…右イヤホン
３４…左イヤホン
４０…接続部
４２…右コード
４４…左コード
４６…連結部材
４８…本体コード
５１…送信部
５２…送信部
５３…受信部
５４…受信部
１１０…入力情報取得部
１００…ヘッドマウントディスプレイ（頭部装着型表示装置）
１２０…記憶部
１２２…ユーザー情報
１２４…タグテーブル（対象情報記憶部）
１２６…更新条件テーブル（更新許可条件記憶部）
１３０…電源
１４０…ＣＰＵ
１４２…タグ取得部（情報取得部）
１４４…情報生成部（情報生成部）
１４６…更新要求部
１４８…抽出部（抽出部）
１４９…更新部（更新部）
１６０…画像処理部
１７０…音声処理部
１８０…インターフェイス
１９０…表示制御部
２０１…右バックライト制御部
２０２…左バックライト制御部
２１１…右ＬＣＤ制御部
２１２…左ＬＣＤ制御部
２２１…右バックライト
２２２…左バックライト
２４１…右ＬＣＤ
２４２…左ＬＣＤ
２５１…右投写光学系
２５２…左投写光学系
２６１…右導光板
２６２…左導光板
３００…サーバー（情報装置）
３３０…通信部
３４０…ＣＰＵ
３４２…抽出部（抽出部）
３４４…更新部（更新部）
３５０…通信部
３５２…タグテーブル（対象情報記憶部）
３５４…更新条件テーブル（更新許可条件記憶部）
１０００…情報表示システム
ＰＣＬＫ…クロック信号
ＶＳｙｎｃ…垂直同期信号
ＨＳｙｎｃ…水平同期信号
Ｄａｔａ…画像データー
Ｄａｔａ１…右眼用画像データー
Ｄａｔａ２…左眼用画像データー
ＯＡ…外部機器
ＰＣ…パーソナルコンピューター
ＳＣ…外景
ＲＥ…右眼
ＬＥ…左眼
ＶＩ…虚像
ＥＲ…端部
ＥＬ…端部
ＡＰ…先端部
ＶＲ…視野
Ｃ１〜Ｃ７…条件
Ｔ１〜Ｔ１０…タグ情報
ＴＡ５〜ＴＡ８…タグ
【図１】
2014186434.tif 000003
【図２】
2014186434.tif 000004
【図３】
2014186434.tif 000005
【図４】
2014186434.tif 000006
【図５】
2014186434.tif 000007
【図６】
2014186434.tif 000008
【図７】
2014186434.tif 000009
【図８】
2014186434.tif 000010
【図９】
2014186434.tif 000011
【図１０】
2014186434.tif 000012
【図１１】
2014186434.tif 000013
【図１２】
2014186434.tif 000014
【図１３】
2014186434.tif 000015
【図１４】
2014186434.tif 000016